(57)【要約】【課題】床面に載置するマッサージ装置で患部押圧体に患部が当接した状態で患部の近傍がケース体に載置可能とする。【解決手段】床面Ｆに載置するケース体２８から上方に突出する左右一対の患部押圧体２を備えたマッサージ装置であって、前記患部押圧体２が患部に当接した状態で患部の近傍をケース体２８に載置可能とするべく前記ケース体２８の前後方向一方を上方へ起こした状態で保持する傾き保持機構５０を有する。【選択図】　　　図１
2004129958.tif 000002
【特許請求の範囲】
【請求項１】
床面に載置するケース体から上方に突出する患部押圧体を備えたマッサージ装置であって、前記患部押圧体が患部に当接した状態で患部の近傍をケース体に載置可能とするべく前記ケース体の前後方向一方を上方へ起こした状態で保持する傾き保持機構を有することを特徴とするマッサージ装置。
【請求項２】
前記傾き保持機構はケース体に枢支された支持体と、この支持体をケース体下面に収納する収納姿勢と下面から立脚してケース体の傾きを保持する立脚姿勢とに択一的に姿勢決め可能とする姿勢決め手段とを有することを特徴とする請求項１に記載のマッサージ装置。
【請求項３】
前記支持体をケース体の下面後部に回動自在に枢支し、前記姿勢決め手段は支持体の先端部にこの先端部と同伴回動し且つ周縁に係合部を備えた回動部材と、ケース体に設けられ且つ前記支持体の回動を停止して支持体を立脚姿勢にするストッパと、ケース体に固定され且つ回動部材に弾力的に当接する弾性体とを有しており、前記弾性体には係合部と係合して支持体を収納姿勢に姿勢決めする被係合部と立脚姿勢からの戻りを規制する被係合部とを形成していることを特徴とする請求項２に記載のマッサージ装置。
【請求項４】
前記患部押圧体はケース体の前方に偏った位置から上方突出し、前記傾き保持機構はケース体の前部を床面に載置し後部を上方へ起こした状態で保持可能となっており、ケース体上面の後部には患部押圧体に首部を当接させた状態で頭部を載置する載置部を形成することを特徴とする請求項１〜３のいずれかに記載のマッサージ装置。
【発明の詳細な説明】
【０００１】
【発明の属する技術分野】
本発明は床面に載置して使用するマッサージ装置に関するものである。
【０００２】
【従来の技術】
この種のマッサージ装置としては、例えば、特許文献１に開示されたものがあり、左右一対の患部押圧体がケース体の上面から外方に突出し、互いが接近離反運動を行うことで患部にマッサージを施すようになっている。このマッサージ装置を首部に適用する際には、マッサージ装置を床面に載置した上で、使用者は仰向きの姿勢で頭部及び首部を当該マッサージ装置に載せることになる。
【０００３】
【特許文献１】
国際公開第９５／３４２６８号パンフレット（図１）
【０００４】
【発明が解決しようとする課題】
しかしながら、前記患部押圧体はケース体から上方に突出しているため、患部押圧体に首部を挟み込むと、頭部がケース体から浮き上がるようになる場合があり、使用者は頭部を支えるべく首部等に力を入れるなどして不自然な体勢をとる必要があった。また、前述の不都合を回避するために座布団等をマッサージ装置と床面の間に挟み込むなどしてマッサージ装置の一方を上方へ上げその傾きを変更し、頭部をケース体の上面に載置可能なようにしていた。
【０００５】
そこで、本発明は、上記問題点に鑑み、患部押圧体に患部が当接した状態で患部の近傍がケース体に載置可能となるマッサージ装置を提供することを目的とするものである。
【０００６】
【課題を解決するための手段】
本発明における課題解決のための第１の具体的手段は、床面Ｆに載置するケース体２８から上方に突出する患部押圧体２を備えたマッサージ装置１であって、前記患部押圧体２が患部に当接した状態で患部の近傍をケース体２８に載置可能とするべく前記ケース体２８の前後方向一方を上方へ起こした状態で保持する傾き保持機構５０を有することである。
これにより、患部押圧体２に患部が当接した状態で患部の近傍がケース体２８に載置可能となり、使用者Ｍは楽な姿勢でマッサージを受けることが可能となる。
【０００７】
本発明における課題解決のための第２の具体的手段は、前記傾き保持機構５０はケース体２８に枢支された支持体５４と、この支持体５４をケース体下面５１に収納する収納姿勢と下面５１から立脚してケース体２８の傾きを保持する立脚姿勢とに択一的に姿勢決め可能とする姿勢決め手段６１とを有することである。
これにより、姿勢決め手段６１を用いて、支持体５４をケース体下面５１に収納する収納姿勢と下面５１から立脚してケース体２８の傾きを保持する立脚姿勢とに択一的に変更し姿勢決めすることで、ケース体２８を床面Ｆに載置した状態と前後方向一方を上方に起こし傾いた状態とに変更可能となる。
【０００８】
本発明における課題解決のための第３の具体的手段は、前記支持体５４をケース体２８の下面後部に回動自在に枢支し、前記姿勢決め手段６１は支持体５４の先端部５６にこの先端部５６と同伴回動し且つ周縁に係合部５９を備えた回動部材５５と、ケース体２８に設けられ且つ前記支持体５４の回動を停止して支持体５４を立脚姿勢にするストッパ５７と、ケース体２８に固定され且つ回動部材５５に弾力的に当接する弾性体５８とを有しており、前記弾性体５８には係合部５９と係合して支持体５４を収納姿勢に姿勢決めする被係合部６０Ａと立脚姿勢からの戻りを規制する被係合部６０Ｂとを形成していることである。
【０００９】
これにより、回動部材５５がストッパ５７により回動規制されることで支持体５４は立脚姿勢の状態で固定され保持される。また、係合部５９が被係合部６０Ａ，６０Ｂに係合することで、支持体５４を前記立脚姿勢と収納姿勢とにそれぞれ姿勢決めでき不本意な戻り動作を防止できる。
本発明における課題解決のための第４の具体的手段は、前記患部押圧体２はケース体２８の前後に偏った位置から上方突出しており、前記傾き保持機構５０はケース体の前部を床面Ｆに載置し後部を上方へ起こした状態で保持可能となっており、ケース体２８には患部押圧体２に首部Ｎを当接させた状態で頭部Ｈを載置する載置部６３を形成することである。
【００１０】
これにより、ケース体２８の後部が上方へ起きあがるようになり、首部Ｎを患部押圧体２に当接させた状態で頭部Ｈを載置部６３に載置することができるようになる。
【００１１】
【発明の実施の形態】
以下、本発明の実施の形態を図面に基づいて説明する。
図１〜６は本発明にかかるマッサージ装置１の第１実施形態を示すものである。
このマッサージ装置１は、図１に示すように、ケース体２８と、このケース体２８内に格納されるマッサージユニット４とを有しており、前記ケース体２８の上面６２からは、患部を押圧しマッサージを施す左右一対の患部押圧体２，２が突出している。ケース体２８の下面５１には、マッサージ装置１を前後方向で傾いた状態にする傾き保持機構５０が設けられている。
【００１２】
なお、実施形態の説明において、左右は図２の左右方向、前は図３の左側、後は図３の右側とする。
ケース体２８は、上部が開放され且つ内部に前記マッサージユニット４を格納可能な下部半体２８Ｂと、この下部半体２８Ｂを上から閉塞する上部半体２８Ａとから構成されている。
上部半体２８Ａの上面６２略前方側には、前記患部押圧体２，２がそれぞれ挿通されて外部に突出する開口部２９が形成されており、この開口部２９は伸縮性の高い布やスポンジ等で形成されたカバーシート３０によって覆われている。
【００１３】
前記ケース体２８は、図１〜４に示すように、平面視略矩形で側面視略台形である。
前記マッサージユニット４は、ケース体２８の前後及び左右方向の略中央部に配置されており、基台１７を介して下部半体２８Ｂに固定されている。
この基台上の略後方には、正逆回転自在な駆動モータ３３が取り付けてあり、この駆動モータ３３の前端面にはギアケース３４が設けられている。このギアケース３４には、回転軸５の軸方向中央部が回転自在に支持され、ケース体２８内で左右方向に向けて配置されている。
【００１４】
詳しくは、ギアケース３４の内部には左右一対のベアリング３５，３５が設けられ、両ベアリング３５，３５に回転軸５が挿通されている。回転軸５の両ベアリング３５，３５間にはウォームホイル３６が固定され、このウォームホイル３６には、前記駆動モータ３３の出力軸に固定されたウォームギア３７が噛み合っている。
前記駆動モータ３３の回転は、ギアケース３４内のウォームギア３７を介して前記回転軸５に伝えられ、回転軸５は正逆自在に回転するようになっており、その両端部には、相対回転不能に設けられた左右一対の回転体６，６が設けられている。
【００１５】
この回転体６，６の周縁面１２には、図２に示すように、前記回転軸５に対して傾斜する軸心Ａを有する略円形の軌道１１が形成され、この軌道１１を摺動しするようにマッサージ部材３，３のボス部１０が相対回転自在に嵌合している。
詳しくは、前記左右一対の回転体６，６の外周面（周縁面）１２には、前記軌道１１に沿ってベアリング３９のインナーレースが嵌め込まれ、回転体６，６の左右方向外側には、ベアリング３９を抜け止めし且つ固定する固定部材１４が設けられている。
【００１６】
ベアリング３９のアウターレースはリング形状をしたボス部１０の内周側に嵌め込まれ、このベアリング３９を介して、マッサージ部材３，３が軌道１１上を摺動するようになっている。なお、この左右回転体６，６の軌道１１の傾斜方向が互いに逆向きとなるように、当該回転体６，６は回転軸５に固定されている。
さらに、前記マッサージ部材３，３は、ボス部１０の外周面１２から径外方向で且つケース体２８の外側に向かって斜め上方に延設された患部押圧体２，２を備えている。
【００１７】
図１〜３に示すように、患部押圧体２，２は、前記軌道１１の長手方向に幅を有するものであり、好ましくは、人の握りこぶし程度の大きさを有するとよい。その断面においては、マッサージ部材３，３に比べて薄肉に形成されることで回転軸５の軸方向に弾性変形自在になっている。また、首部Ｎに対してソフトな接触面となるように相対向内側が丸みを帯びた楕円形状に形成されていると共に、マッサージ効果を高めるため、複数の略半球状の凸部４０が点在している。
ボス部１０の左右方向外側面には、ベアリング３９の抜け落ちを防止して固定するリング形状の押さえ部材４２が取り付けられており、この押さえ部材４２の略下方には係合部材１３を取り付ける係合部材取付部４４が一体に成形され、棒状の係合部材１３がボス部１０から突出するように固定されている。この係合部材１３には回動自在に筒体４１が外嵌している。
【００１８】
この制御部材１５，１５の平面視略中央には、前記係合部材１３が摺動自在に嵌り込む摺動溝１６が略上下方向に貫通するように形成されている。この摺動溝１６は、マッサージ部材３，３を左右方向に案内しながら前後方向にも案内するものとなっており、この摺動溝１６の長手方向は、前記回転軸５に対して傾斜するようになっている。この摺動溝１６に略上方から前記係合部材１３が挿入され嵌り込むようになっている。
このような構成のもとで、ボス部１０が傾斜した軌道１１に沿って動くと、平面視において、例えば右側の回転体６に対して共回りが規制されているボス部１０は、回転体６が回転するにつれ、回転軸５に対し左肩上がり斜め、略垂直、右肩上がり斜めの３つの状態を遷移するように揺動（シーソー揺動）する。左側の回転体６も対称状態で同様に傾動する。したがって、両ボス部１０、１０に突設された患部押圧体２，２も同様な動きをし、前後方向一端が互いに近接する際には他端が互いに離反し、一端が離反する際には、他端が近接するような対向うねり動作を行う。
【００１９】
正面視においては、前記ボス部１０は回転軸５に対して前述のような揺動を行い、且つ、その外周面１２は軸心方向にも移動する。しかしながら、患部押圧体２，２は、回転軸５を挟んで反対側に設けられた摺動溝１６により左右方向に揺動するように規制されているため、回転軸５の軸心方向（左右方向）に互いに遠近揺動することになる。
この両者が組み合わさって、患部押圧体２，２は左右方向の近接及び離反移動しながら対向うねり動作するようになる。
【００２０】
一方、当該マッサージ装置１は、ケース体２８の前後方向一方を上方へ起こした状態で保持する傾き保持機構５０を有している。
この傾き保持機構５０は、ケース体２８の下面２８に回動自在に枢支された支持体５４と、この支持体５４をケース体下面５１に収納する収納姿勢と、下面から立脚してケース体２８の傾きを保持する立脚姿勢とに択一的に姿勢決め可能とする姿勢決め手段６１とを備えている。
詳しくは、ケース体下面５１の前後方向後部には、略コの字形に成形された金属や強化プラスチック等からなる支持体５４が設けられており、この支持体５４は略水平で床面Ｆに設置する接地部５４ａと、接地部５４ａの両端から突出する支持脚５４ｂとから構成されている。両支持脚５４ｂ、５４ｂの先端は内方に屈曲しており、ケース体２８（下部半体２８Ｂ）に形成されたマッサージユニット格納部５２の両側壁５３，５３に回動自在に枢支されている。
【００２１】
この先端部５６，５６には前記姿勢決め手段６１が設けられている。この姿勢決め手段６１は、図３，５に示すように、先端部５６に略扇形の回動部材５５を有しており、支持体５４の接地部５４ａを前記先端部５６まわりにケース体２８の下面５１から離反するように回動させるとき、その先端部５６に取り付けられた回動部材５５も同伴して回動するようになっている。
回動部材５５の近傍には、回動部材５５の回動を規制することで支持体５４の姿勢を保持可能とするストッパ５７が設けられている。前記回動部材５５の縁６９がこのストッパ５７に当接することにより、側面視でケース体２８と支持体５４が所定の挟角すなわち先端部５６より接地部５４ａが後方にあるような立脚姿勢となる。このとき前記ストッパ５７は、回動部材５５の回動を停止し、ケース体２８と支持体５４のなす挟角がそれ以上広がることを規制している。
【００２２】
図３の２点鎖線に示す如く、前記支持体５４の接地部５４ａを下面５１側に押し戻し、下面５１に周縁部に形成された下面５１より若干凹んだ収納凹部７１（図４参照）内に格納することで、支持体５４の収納姿勢とすることができる。この収納姿勢では、側面視でケース体２８から支持体５４が外方に突出することがないため、マッサージ装置１の床面Ｆへの略水平載置が可能となる。
前記回動部材５５の円弧部には凸状の係合部５９が形成されている。さらに、この回動部材５５の円弧部に沿うような形で、略円弧状に成形された金属等からなる弾性体５８が配置され、その一端がケース体２８に固定されてる。この弾性体５８には前記係合部５９が係合可能である凹状の被係合部が少なくとも２つ形成されており、前記係合部５９が一方の被係合部６０Ａに係合することで、支持体５４を収納姿勢に姿勢決めすることが可能となり、他方の被係合部６０Ｂに係合することで支持体５４を立脚姿勢に姿勢決めすることが可能となる。
【００２３】
前記回動部材５５が回動し被係合部６０Ａ，６０Ｂ間を係合部５９が移動するときには、弾性体５８は扇形の径外方向に撓むことになり、回動部材５５の移動がスムーズに行えることになる。さらに、係合部５９と被係合部６０Ａ，６０Ｂとが係合する際には、前記弾性体５８が元の位置に戻るように移動するため、使用者Ｍは支持体５４を下面５１から離反させたり戻したりするとき、すなわち立脚姿勢や収納姿勢にするときにクリック感（姿勢決め完了感）を感じ、姿勢決めが行われたことを確実に知ることができる。
【００２４】
本実施形態のマッサージ装置１では、前述の構成をもって、左右一対の患部押圧体２，２が、前後方向一端が互いに近接する際には他端が互いに離反し、一端が離反する際には、他端が近接するような対向うねり動作を行いながら、左右方向の近接及び離反移動するようになる。
この際、図６の如く、収納姿勢にある支持体５４をその先端部５６を中心に回動することで下面５１から離反させ立脚姿勢とし、ケース体２８の前後方向で患部押圧体近傍の端部７０（ケース体２８の前部）を床面Ｆに置くと共に前記支持体５４の接地部５４ａを床面Ｆに置くことで、ケース体２８すなわちマッサージ装置１を傾いた姿勢にするようにする。
【００２５】
すると、ケース体２８の載置部６３は上方へ持ち上がり、患部押圧体２は床面Ｆに近い位置に配置されることになる。したがって、床面Ｆに載置されたマッサージ装置１に仰向けになり頭部Ｈ及び首部Ｎを置く際に、首部Ｎが左右一対の患部押圧体２に確実に当接する状態で、頭部Ｈを前記載置部６３に預け置くことができるようになる。
これにより、使用者Ｍは肩や首に不要な力を入れ、頭部Ｈを浮いた状態で保持しておく必要がなくなり、楽な姿勢をもってマッサージを施術されることが可能となる。なお、前記頭部Ｈを載置する載置部６３にクッション部材等を配設することは好ましい。
【００２６】
このとき、前記回動部材５５の縁６９がストッパ５７に当接することで支持体５４は固定されているため、載置部６３に頭部Ｈを載せケース体２８に荷重が加わる状態であっても、このストッパ５７が前記荷重を支えることで、支持体５４は姿勢保持され、その立脚姿勢を維持することが可能となる。
支持体５４を使用しない場合は、ケース体２８の下面５１から外方突出しない収納姿勢で収納されるため、ケース体２８を床面Ｆに略水平に置くことができる。
【００２７】
図３の２点鎖線で示した部分及び図７には、本発明にかかるマッサージ装置１の第２実施形態を示している。本実施形態は第１実施形態とは略同一の構成であるものの、傾き保持機構５０が、ケース体２８の下面５１の一部を略矩形に切りとってなる接地部材６８と、その略中央に設けられた突っ張り部材６４とからなる点が異なっている。
前記接地部材６８は、その前部が幅方向を向く軸心まわりに回動可能なヒンジ６７をもってケース体本体と連結されるようになっている。前記突っ張り部材６４は、上部材６５と下部材６６とが回動部７２で回動自在であると共に下部材６６に設けられた固定片７３が上部材６５と係合するようになっており、さらに、前記上部材６５がケース体２８に連結すると共に下部材６６が接地部材６８と連結するようになっている。
【００２８】
前記突っ張り部材６４は、回動部７２まわりにケース体２８の内部側に折り曲げ可能であると共に、下部材６６に設けられた固定片７３が上部材６５と係合することで、上部材６５と下部材６６とが略直線状態で固定可能となっている。
前記接地部材６８をケース体２８の下面５１からヒンジ６７まわりに回動させて引き出し（離反させ）、前記突っ張り部材６４を突っ張り状態で固定することにより、マッサージ装置１を傾いた状態に保持することができるようになる。この時、ケース体２８の載置部６３に頭を載置しても、前記突っ張り部材６４でその荷重を支えることができ、支持体５４の立脚姿勢すなわちマッサージ装置１の傾いた状態を保持可能となっている。
【００２９】
本発明にかかるマッサージ装置１の第３実施形態として、図７に示す如く、接地部材６８の後方に突っ張り体７４の基端を回動自在に取り付け、その先端をケース体に形成された複数の支持凹部７５に嵌め込むことで、ケース体２８の斜め傾き状態を保持し固定するようにしてもよい。なお、第３実施形態は他の点に関しては第１実施形態と略同一である。
前記複数の支持凹部７５に択一的に突っ張り体７４の先端を嵌め込むことにより、ケース体２８の傾き角度を変更することが可能で、様々な体型を有する使用者Ｍに適応するマッサージ装置１の傾き姿勢を実現することができるようになる。
【００３０】
なお、各支持凹部７５は摺動溝７６で連結されており、突っ張り体７４の先端をこの摺動溝７６内で摺動させた上で、各支持凹部７５に択一的に嵌合させるようにしている。
なお、本発明は上記した実施形態に限定されるものではない。
例えば、床面Ｆに載置されるマッサージ装置１として首用のものを例示したが、肩用であってもよく下肢用であっても何ら問題はない。
また、前記支持体５４は略コの字形状である必要はなく、１本の棒体であってもよく、左右に設けられた２本の棒体であってもよい。
【００３１】
【発明の効果】
本発明によれば、患部押圧体２に患部が当接した状態で患部の近傍がケース体２８に載置可能となるマッサージ装置１を提供することができる。
【図面の簡単な説明】
【図１】マッサージ装置の第１実施形態の斜視図である。
【図２】同正面断面図である。
【図３】同側面断面図である。
【図４】同底面図である。
【図５】姿勢決め手段の側面図である。
【図６】第１実施形態の使用状態を示す側面図である。
【図７】第２実施形態及び第３実施形態の使用状態を示す側面図である。
【符号の説明】
１　　　マッサージ装置
２　　　患部押圧体
２８　　ケース体
５０　　傾き保持機構
５１　　下面
５４　　支持体
５５　　回動部材
５６　　先端部
５７　　ストッパ
５８　　弾性体
５９　　係合部
６０Ａ　被係合部
６０Ｂ　被係合部
６１　　姿勢決め手段
６３　　載置部
Ｆ　　　床面
Ｎ　　　首部
Ｈ　　　頭部
【図１】
2004129958.tif 000003
【図２】
2004129958.tif 000004
【図３】
2004129958.tif 000005
【図４】
2004129958.tif 000006
【図５】
2004129958.tif 000007
【図６】
2004129958.tif 000008
【図７】
2004129958.tif 000009